(57)【要約】      （修正有）【課題】輸送上のコスト削減と同時に環境に配慮しつつエンドユーザによる希釈作業が容易になるような、希釈用高濃度の洗剤が詰められるパウチを提供する。【解決手段】希釈用高濃度の洗剤が詰められ扁平体状になったパウチにおいて、このパウチ１０が菱形に成形されその鋭角端縁部１０ｃが排出口部として切り取られるようにする。【選択図】図１
0003142161.tif 000002
【実用新案登録請求の範囲】
【請求項１】
希釈用高濃度の洗剤が詰められ扁平体状になったパウチにおいて、このパウチが菱形に成形されその鋭角端縁部が排出口部として切り取られるようにした、希釈用高濃度の洗剤が詰められたパウチ。
【請求項２】
鋭角端縁部にミシン目が設けられて切り取り容易であることを特徴とする、請求項１に記載の希釈用高濃度の洗剤が詰められたパウチ。
【請求項３】
パウチがプラスチックフィルムのラミネート加工によるものであることを特徴とする、請求項１又は請求項２に記載の希釈用高濃度の洗剤が詰められたパウチ。
【考案の詳細な説明】
【技術分野】
【０００１】
本考案は、希釈用高濃度の洗剤が詰められたパウチ（小袋）、とくに希釈用容器に移し替えし易く取り扱い容易な、希釈用高濃度の洗剤が詰められたパウチに関する。
【背景技術】
【０００２】
従来では、業務用台所用洗剤は、界面活性剤相当分が２０％以下である洗剤１８ｋｇが一斗缶に詰められ、エンドユーザへ配送され納品されていた。他方、洗剤の原料と資材の高騰、輸送コストの高騰に対応するため、高濃度化により、輸送重量を減らし、輸送コストを削減することが提案されている。
【０００３】
そこで、エンドユーザに希釈容器を提供してパウチに詰められた１Ｋｇの高濃度の洗剤を４つ納入し、４．５倍に薄めてもらえれば、従来の一斗缶に詰められた洗剤と同等のものが得られ、他方環境に配慮して一斗缶に代えてパウチ（例えばプラスチックフィルムのパウチ）を使用すれば、配送時及び資材生産時のＣＯ２排出量の削減にもなるため、エンドユーザによる希釈作業が容易になるよう、このようなパウチをどのようなものにすればよいかという配慮が求められている。
【考案の開示】
【考案が解決しようとする課題】
【０００４】
解決しようとする問題点は、輸送上のコスト削減と同時に環境に配慮しつつエンドユーザによる希釈作業が容易になるような、希釈用高濃度の洗剤が詰められるパウチの開発ないし提供である。
【課題を解決するための手段】
【０００５】
本考案は、希釈用高濃度の洗剤が詰められ扁平体状になったパウチにおいて、このパウチが菱形に成形されその鋭角端縁部が排出口部として切り取られるようにしたことを特徴とする。
【考案の効果】
【０００６】
本考案によれば、希釈容器の口部に、洗剤の詰められた菱形パウチの鋭角排出口を差し込み、その排出口の直上に集積された洗剤の全容量ないし残量を自重にして落下させ、洗剤がスムーズに希釈容器へ強制注入し、使い勝手の良い希釈作業が達成される。
【考案を実施するための最良の形態】
【０００７】
プラスチックフィルムのラミネート加工により菱形のパウチを成形し、その鋭角端縁部にミシン目を設ける。これにより、ミシン目に沿って切り取り、排出口が容易に得られる。
【実施例】
【０００８】
本考案の好適な実施例は図面に基づいて説明される。
図１は、本考案による希釈用高濃度の洗剤が詰められたパウチの平面図である。
１０はそのパウチ本体で菱形に成形されており、両側縁部１０ｓはシール縁部、１０ｃは鋭角端縁部、１０ｂはミシン目をそれぞれ示している。１０ｂはミシン目に限らず切り取りの案内線でもよい。このパウチ１０に洗剤Ｗ、例えば１Ｋｇが詰められ、扁平体に映る。図示の包装は透明プラスチックフィルムのラミネート加工によるパウチ包装を適用している。パウチの材質はビニールに限らず、紙、他のプラスチックなどでもよい。また透明、半透明であることが好ましい。
【０００９】
図２は本考案によるパウチを使った希釈作業の工程例示図である。
Ａでは水道水を希釈容器２０にあらかじめ適量と決められたラインまで注ぐ。
Ｂでは洗剤が詰められたパウチの２つある鋭角端縁部の１つについてミシン目に沿って切り、排出口１０ｍを設ける。
Ｃでは排出口１０ｍを片手で閉じながら、希釈容器２０の口部分に差し込む。
Ｄでは同時にもう一方の手でパウチの反対側を持ち上げ、洗剤の全容量が排出口の直上を中心に集積させ、漏斗を使ったように落下し希釈容器内に注入される。
Ｅでは希釈容器のキャップをしっかり閉めて、よく振り混ぜる。これにより、均質に希釈された洗剤が得られる。
【００１０】
図３は菱形でない直角四辺形の公知例パウチを使った洗剤の注入例を示したものであり、パウチの直角端縁に排出口を設けており、その排出口を希釈容器の口に差し込み、これを中心に反時計方向にパウチを回動しながらその全容量を注入していかねばならず、こぼさないように気をつかい、かつ時間がかかるという欠点がある。
【００１１】
前記した公知例と比較して注目されるところは、本考案によるパウチでは、希釈容器の口部に、高濃度洗剤の詰められた菱形パウチの鋭角排出口が差し込まれ、その排出口の直上に集積された洗剤の全容量ないし残量が自重にして落下し、洗剤がスムーズに希釈容器へ強制注入され、使い勝手の良い希釈作業が達成される。
【図面の簡単な説明】
【００１２】
【図１】本考案による希釈用高濃度の洗剤が詰められたパウチの平面図である。
【図２】本考案によるパウチを使った希釈作業の工程例示図である。
【図３】菱形でない直角四辺形の公知例パウチを使った洗剤の注入例。
【符号の説明】
【００１３】
１０    菱形パウチ        １０ｓ  シール縁部        １０ｃ  鋭角端縁部
１０ｃ  ミシン目          １０ｍ  排出口
２０    希釈容器
【図１】
0003142161.tif 000003
【図２】
0003142161.tif 000004
【図３】
0003142161.tif 000005
【手続補正書】
【提出日】平成20年4月10日(2008.4.10)
【手続補正１】
【補正対象書類名】実用新案登録請求の範囲
【補正対象項目名】全文
【補正方法】変更
【補正の内容】
【実用新案登録請求の範囲】
【請求項１】
希釈用高濃度の洗剤が詰められ扁平体状になったパウチにおいて、このパウチが略平行四辺形ないし菱形に成形されその鋭角端縁部が排出口部として切り取られるようにした、希釈用高濃度の洗剤が詰められたパウチ。
【請求項２】
鋭角端縁部にミシン目が設けられて切り取り容易であることを特徴とする、請求項１に記載の希釈用高濃度の洗剤が詰められたパウチ。
【請求項３】
パウチがプラスチックフィルムのラミネート加工によるものであることを特徴とする、請求項１又は請求項２に記載の希釈用高濃度の洗剤が詰められたパウチ。
【手続補正２】
【補正対象書類名】明細書
【補正対象項目名】全文
【補正方法】変更
【補正の内容】
【考案の詳細な説明】
【技術分野】
【０００１】
本考案は、希釈用高濃度の洗剤が詰められたパウチ（小袋）、とくに希釈用容器に移し替えし易く取り扱い容易な、希釈用高濃度の洗剤が詰められたパウチに関する。
【背景技術】
【０００２】
従来では、業務用台所用洗剤は、界面活性剤相当分が２０％以下である洗剤１８ｋｇが一斗缶に詰められ、エンドユーザへ配送され納品されていた。他方、洗剤の原料と資材の高騰、輸送コストの高騰に対応するため、高濃度化により、輸送重量を減らし、輸送コストを削減することが提案されている。
【０００３】
そこで、エンドユーザに希釈容器を提供してパウチに詰められた１Ｋｇの高濃度の洗剤を４つ納入し、４．５倍に薄めてもらえれば、従来の一斗缶に詰められた洗剤と同等のものが得られ、他方環境に配慮して一斗缶に代えてパウチ（例えばプラスチックフィルムのパウチ）を使用すれば、配送時及び資材生産時のＣＯ２排出量の削減にもなるため、エンドユーザによる希釈作業が容易になるよう、このようなパウチをどのようなものにすればよいかという配慮が求められている。
【考案の開示】
【考案が解決しようとする課題】
【０００４】
解決しようとする問題点は、輸送上のコスト削減と同時に環境に配慮しつつエンドユーザによる希釈作業が容易になるような、希釈用高濃度の洗剤が詰められるパウチの開発ないし提供である。
【課題を解決するための手段】
【０００５】
本考案は、希釈用高濃度の洗剤が詰められ扁平体状になったパウチにおいて、このパウチが略平行四辺形ないし菱形に成形されその鋭角端縁部が排出口部として切り取られるようにしたことを特徴とする。
【考案の効果】
【０００６】
本考案によれば、希釈容器の口部に、洗剤の詰められた略平行四辺形ないし菱形パウチの鋭角排出口を差し込み、その排出口の直上に集積された洗剤の全容量ないし残量を自重にして落下させ、洗剤がスムーズに希釈容器へ強制注入し、使い勝手の良い希釈作業が達成される。
【考案を実施するための最良の形態】
【０００７】
プラスチックフィルムのラミネート加工により略平行四辺形ないし菱形のパウチを成形し、その鋭角端縁部にミシン目を設ける。これにより、ミシン目に沿って切り取り、排出口が容易に得られる。
【実施例】
【０００８】
本考案の好適な実施例は図面に基づいて説明される。
図１は、本考案による希釈用高濃度の洗剤が詰められたパウチの平面図である。
１０はそのパウチ本体で図のように略平行四辺形ないし菱形に成形されており、両側縁部１０ｓはシール縁部、１０ｃは鋭角端縁部、１０ｂはミシン目をそれぞれ示している。１０ｂはミシン目に限らず切り取りの案内線でもよい。このパウチ１０に洗剤Ｗ、例えば１Ｋｇが詰められ、扁平体に映る。図示の包装は透明プラスチックフィルムのラミネート加工によるパウチ包装を適用している。パウチの材質はビニールに限らず、紙、他のプラスチックなどでもよい。また透明、半透明であることが好ましい。
鋭角端縁部は、他の例として、図１ａのようにシール縁部に切り口を設け排出口部として切り取り容易にしてもよい。
【０００９】
図２は本考案によるパウチを使った希釈作業の工程例示図である。
Ａでは水道水を希釈容器２０にあらかじめ適量と決められたラインまで注ぐ。
Ｂでは洗剤が詰められたパウチの２つある鋭角端縁部の１つについてミシン目に沿って切り、排出口１０ｍを設ける。
Ｃでは排出口１０ｍを片手で閉じながら、希釈容器２０の口部分に差し込む。
Ｄでは同時にもう一方の手でパウチの反対側を持ち上げ、洗剤の全容量が排出口の直上を中心に集積させ、漏斗を使ったように落下し希釈容器内に注入される。
Ｅでは希釈容器のキャップをしっかり閉めて、よく振り混ぜる。これにより、均質に希釈された洗剤が得られる。
【００１０】
図３は略平行四辺形ないし菱形でもない直角四辺形の公知例パウチを使った洗剤の注入例を示したものであり、パウチの直角端縁に排出口を設けており、その排出口を希釈容器の口に差し込み、これを中心に反時計方向にパウチを回動しながらその全容量を注入していかねばならず、こぼさないように気をつかい、かつ時間がかかるという欠点がある。
【００１１】
前記した公知例と比較して注目されるところは、本考案によるパウチでは、希釈容器の口部に、高濃度洗剤の詰められた略平行四辺形ないし菱形パウチの鋭角排出口が差し込まれ、その排出口の直上に集積された洗剤の全容量ないし残量が自重にして落下し、洗剤がスムーズに希釈容器へ強制注入され、使い勝手の良い希釈作業が達成される。
【図面の簡単な説明】
【００１２】
【図１】本考案による希釈用高濃度の洗剤が詰められたパウチの平面図である。
【図１ａ】他の鋭角端縁部を例示したパウチの部分図。
【図２】本考案によるパウチを使った希釈作業の工程例示図である。
【図３】略平行四辺形ないし菱形でもない直角四辺形の公知例パウチを使った洗剤の注入例。
【符号の説明】
【００１３】
１０    略平行四辺形ないし菱形パウチ        １０ｓ  シール縁部
１０ｃ  鋭角端縁部          １０ｂ  ミシン目          １０ｍ  排出口
２０    希釈容器
【手続補正３】
【補正対象書類名】図面
【補正対象項目名】図１ａ
【補正方法】追加
【補正の内容】
【図１ａ】
0003142161.tif 000006